(57)【要約】【課題】整理処理において紙幣の計数が正確に行えつつ天地の揃った束紙幣を生成できる紙幣処理装置を提供する。【解決手段】紙幣処理装置１は、入金部１０１に投入された紙幣が計数されることなく払い出される入金リジェクト部１０２と、複数枚の紙幣を結束する結束部１１２と、結束部１１２で結束された紙幣が払い出される束出金部１０４と、紙幣の天地の方向を識別する識別部１０６と、整理実行部（端末制御部２０２、機器制御部１１６）とを備える。整理実行部は、整理処理において、投入された紙幣のうち結束対象とならない紙幣を、紙幣が外部へ出される前に計数し、結束対象となる紙幣であって天方向が所定方向を向く紙幣を、計数するとともに結束部１１２で結束し、結束された紙幣を束出金部１０４に払い出し、結束対象となる紙幣であって地方向が所定方向を向く紙幣を、計数することなく入金リジェクト部１０２に払い出す。【選択図】図３
2017091216.tif 000002
【特許請求の範囲】
【請求項１】
紙幣が投入される入金部と、
前記入金部に投入された紙幣が収納される収納部と、
前記収納部から繰り出された紙幣が払い出される出金部と、
前記入金部に投入された紙幣が払い出される入金リジェクト部と、
複数枚の紙幣を結束する結束部と、
前記結束部で結束された紙幣が払い出される束出金部と、
前記入金部に投入された紙幣の天地の方向を識別する識別部と、
前記入金部に投入された紙幣を整理する整理処理を実行する整理実行部と、を備え、
前記整理実行部は、前記整理処理において、
前記入金部に投入された紙幣のうち結束対象とならない紙幣を、当該紙幣が外部へ出される前に計数し、
前記入金部に投入された紙幣のうち結束対象となる紙幣であって天方向が所定方向を向く紙幣を、計数するとともに前記結束部で結束し、結束された紙幣を前記束出金部に払い出し、
前記結束対象となる紙幣であって地方向が前記所定方向を向く紙幣を前記入金リジェクト部に払い出す、
ことを特徴とする紙幣処理装置。
【請求項２】
前記整理実行部は、計数された前記結束対象とならない紙幣を、前記出金部に払い出す、
ことを特徴とする請求項１に記載の紙幣処理装置。
【請求項３】
表示部を、さらに備え、
前記整理実行部は、１回目の前記整理処理において前記入金リジェクト部に払い出された地方向が前記所定方向を向く紙幣が、天方向が前記所定方向を向くように前記入金部に再投入された状態で、２回目の前記整理処理を実行し、２回目の前記整理処理における紙幣の計数結果を１回目の前記整理処理における紙幣の計数結果に加えた計数結果を前記表示部に表示させる、
ことを特徴とする請求項１または２に記載の紙幣処理装置。
【請求項４】
紙幣を一時的に保留する一時保留部と、
前記入金部に投入された紙幣を結束する結束処理を実行する結束実行部と、をさらに備え、
前記結束実行部は、前記結束処理において、
前記入金部に投入された紙幣のうち結束対象となる紙幣であって天方向が前記所定方向を向く紙幣を前記結束部で結束し、結束された紙幣を前記束出金部に払い出し、
前記結束対象となる紙幣であって地方向が前記所定方向を向く紙幣を前記一時保留部に保留し、前記一時保留部に保留された紙幣の枚数が、前記結束部で結束が可能となる所定枚数以上である場合に、前記一時保留部から紙幣を繰り出して前記結束部で結束し、結束された紙幣を前記束出金部に払い出す、
ことを特徴とする請求項１ないし３の何れか一項に記載の紙幣処理装置。
【請求項５】
前記結束実行部は、前記一時保留部に保留された紙幣の枚数が、前記所定枚数未満である場合に、前記一時保留部から紙幣を繰り出して前記出金部に払い出す、
ことを特徴とする請求項４に記載の紙幣処理装置。
【請求項６】
前記結束実行部は、前記入金部に投入された紙幣のうち結束対象とならない紙幣を、前記入金リジェクト部に払い出す、
ことを特徴とする請求項４または５に記載の紙幣処理装置。
【発明の詳細な説明】
【技術分野】
【０００１】
本発明は、紙幣の入出金等を行う紙幣処理装置に関する。
【背景技術】
【０００２】
従来、紙幣の入出金等を行う紙幣処理装置において、入金口から入金される紙幣あるいは出金口に出金される紙幣が収納される収納部に加え、紙幣に帯封を施して結束する結束部と、結束部に接続され、結束単位となる所定枚数（たとえば、１００枚）の紙幣を一時保留する整理用一時保留部を備えるものが知られている（特許文献１参照）。
【０００３】
かかる紙幣処理装置では、纏まった数のバラ紙幣を整理する整理処理を実行することができる。整理処理が実行されると、入金口に投入されたバラ紙幣の枚数が金種ごとに計数されるととともに、結束対象となる金種（以下、「結束対象金種」という）のバラ紙幣が帯封で結束されて束紙幣（帯封紙幣）とされ、結束対象金種の束紙幣と結束対象金種外のバラ紙幣とに分けられる。分けられた結束対象金種の束紙幣と結束対象金種外のバラ紙幣とが、ユーザによって紙幣処理装置から取り出される。
【先行技術文献】
【特許文献】
【０００４】
【特許文献１】特開２０１０−１７０１７５号公報
【発明の概要】
【発明が解決しようとする課題】
【０００５】
整理処理により生成された束紙幣は、各紙幣の天地が揃っていると見栄えが良い上、取扱い易い。そこで、上記紙幣処理装置を、整理機能において、投入された紙幣の天地の方向を識別し、天地の方向が同じ紙幣を集積して結束するような構成とすることが考えられる。
【０００６】
このような構成とした場合、結束される紙幣とは天地の方向が異なる紙幣は、一旦、払い出された後、再投入されて結束されることで、天地の揃った束紙幣とすることができる。しかしながら、このような構成とした場合、天地の方向が異なる紙幣が、払い出されるまでの過程において結束対象金種外の紙幣と同様に計数されてしまうと、天地の方向が異なる紙幣が、再投入により結束される際に計数されたときに、合わせて２回の計数が行われてしまうこととなるため、投入された紙幣の合計枚数に誤りが生じてしまう、との課題が生じ得る。
【０００７】
かかる課題に鑑み、本発明は、整理処理において紙幣の計数が正確に行えつつ天地の揃った束紙幣を生成できる紙幣処理装置を提供することを目的とする。
【課題を解決するための手段】
【０００８】
本発明の主たる態様に係る紙幣処理装置は、紙幣が投入される入金部と、前記入金部に投入された紙幣が収納される収納部と、前記収納部から繰り出された紙幣が払い出される出金部と、前記入金部に投入された紙幣が払い出される入金リジェクト部と、複数枚の紙幣を結束する結束部と、前記結束部で結束された紙幣が払い出される束出金部と、前記入金部に投入された紙幣の天地の方向を識別する識別部と、前記入金部に投入された紙幣を整理する整理処理を実行する整理実行部と、を備える。ここで、前記整理実行部は、前記整理処理において、前記入金部に投入された紙幣のうち結束対象とならない紙幣を、当該紙幣が外部へ出される前に計数し、前記入金部に投入された紙幣のうち結束対象となる紙幣であって天方向が所定方向を向く紙幣を、計数するとともに前記結束部で結束し、結束された紙幣を前記束出金部に払い出し、前記結束対象となる紙幣であって地方向が前記所定方向を向く紙幣を前記入金リジェクト部に払い出す。
【０００９】
上記の構成によれば、投入された紙幣のうち天方向が所定方向を向く結束対象の紙幣を、１回目の整理処理によって天地が揃った束紙幣にできる。そして、１回目の整理処理によって入金リジェクト部に払い出された、地方向が所定方向を向く結束対象の紙幣を、天方向が所定方向を向く状態で再投入して２回目の整理処理を実行することで、それら紙幣を天地が揃った束紙幣にできる。このように、上記の構成によれば、２回の整理処理を実行することにより、整理対象として投入された紙幣の計数を行うことができるとともに、投入された紙幣のうち結束対象金種の紙幣を、天地の揃った束紙幣にすることができる。しかも、地方向が所定方向を向く紙幣は、入金リジェクト部に払い出され、再投入により結束される際に計数されるので、２回の整理処理によって２重の計数が行われることがない。よって、整理対象として投入された紙幣を、正確に計数することができる。
【発明の効果】
【００１０】
本発明によれば、整理処理において紙幣の計数が正確に行えつつ天地の揃った束紙幣を生成できる紙幣処理装置を提供できる。
【００１１】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１２】
【図１】図１は、実施形態に係る、紙幣処理装置の外観を示す斜視図である。
【図２】図２（ａ）は、実施形態に係る、紙幣処理機の内部構成を示す概要図であり、図２（ｂ）は、実施形態に係る、一括収納部および金種別収納部に備えられた紙幣検知部の構成を示す図である。
【図３】図３は、実施形態に係る、紙幣処理装置の主たる構成を示すブロック図である。
【図４】図４は、実施形態に係る、端末制御部が実行する紙幣整理処理の制御動作を示すフローチャートである。
【図５】図５は、実施形態に係る、機器制御部が実行する紙幣整理処理の制御動作を示すフローチャートである。
【図６】図６は、実施形態に係る、紙幣整理処理が実行される場合に操作表示部に表示される画面の遷移について例示した図である。
【図７】図７（ａ）は、実施形態に係る、紙幣整理処理における紙幣処理機内での結束対象金種外の紙幣の流れを示す図であり、図７（ｂ）は、実施形態に係る、紙幣整理処理における紙幣処理機内での結束対象金種の紙幣の流れを示す図である。
【図８】図８は、実施形態に係る、プリンタにより印刷される整理結果のジャーナルについて例示した図である。
【図９】図９は、実施形態に係る、端末制御部が実行する紙幣結束処理の制御動作を示すフローチャートである。
【図１０】図１０は、実施形態に係る、機器制御部が実行する紙幣結束処理の制御動作を示すフローチャートである。
【図１１】図１１は、実施形態に係る、紙幣結束処理が実行される場合に操作表示部に表示される画面の遷移について例示した図である。
【図１２】図１２（ａ）および（ｂ）は、実施形態に係る、紙幣結束整理における紙幣処理機内での結束対象金種の紙幣の流れを示す図である。
【発明を実施するための形態】
【００１３】
以下、本発明の実施形態について、図面を参照して説明する。
【００１４】
本実施形態において、金種別収納部１１０ａ〜１１０ｃが特許請求の範囲に記載の「収納部」に対応する。また、操作表示部２０１が特許請求の範囲に記載の「表示部」に対応する。さらに、端末制御部２０２および機器制御部１１６が特許請求の範囲に記載の「整理実行部」および「結束実行部」に対応する。
【００１５】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１６】
図１は、本実施形態に係る、紙幣処理装置１の外観を示す斜視図である。
【００１７】
紙幣処理装置１は、紙幣処理機１０と、操作端末２０と、プリンタ３０とを備えている。紙幣処理装置１は、たとえば、銀行に設置され、顧客から預けられた紙幣の入金処理を行ったり、顧客に払い出される紙幣の出金処理を行ったりする。なお、紙幣処理装置１に、硬貨の入出金等を行う硬貨処理機が付加されることが多く、この場合には出納システムが構成される。
【００１８】
紙幣処理機１０と操作端末２０とは通信ケーブル４１で接続されており、操作端末２０とプリンタ３０とは通信ケーブル４２で接続されている。なお、このような有線方式ではなく無線方式により、紙幣処理機１０、操作端末２０およびプリンタ３０が接続されてもよい。
【００１９】
紙幣処理機１０は、外郭を構成する筐体１１を備えている。筐体１１の正面には、中央部に入金口１２および出金口１３が上下に並んで設けられており、上部に束出金口１４が設けられている。出金口１３は、上下開きのシャッター１３ａによって開閉され、束出金口１４は、左右開きのシャッター１４ａにより開閉される。入金口１２にはバラ紙幣が投入され、出金口１３にはバラ紙幣が払い出される。束出金口１４には、束紙幣が払い出される。束紙幣は、所定の枚数（たとえば、１００枚の）紙幣が帯封によって結束されることにより生成される。さらに、筐体１１の正面には、下部に扉１５が設けられている。
【００２０】
操作端末２０には、正面に操作表示部２０１が設けられている。操作表示部２０１は、操作のための画面を表示するとともに、表示された画面への操作を受け付ける。
【００２１】
図２（ａ）は、本実施形態に係る、紙幣処理機１０の内部構成を示す概要図であり、図２（ｂ）は、本実施形態に係る、一括収納部１０９および金種別収納部１１０ａ〜１１０ｃに備えられた紙幣検知部１３０の構成を示す図である。
【００２２】
図２（ａ）を参照して、紙幣処理機１０は、入金部１０１と、入金リジェクト部１０２と、出金部１０３と、束出金部１０４と、搬送部１０５と、識別部１０６と、表裏揃え部１０７と、一時保留部１０８と、一括収納部１０９と、３つの金種別収納部１１０ａ〜１１０ｃと、２つの集積部１１１ａ、１１１ｂと、結束部１１２と、揚送部１１３と、束搬送部１１４と、４つの束金種別収納部１１５ａ〜１１５ｄと、を備えている。
【００２３】
入金部１０１は、入金口１２に設けられる。入金部１０１は、繰出機構を備え、投入されたバラ紙幣を一枚ずつ搬送部１０５へ繰り出す。入金リジェクト部１０２および出金部１０３は、出金口１３に設けられる。入金リジェクト部１０２は、主に、識別部１０６により属性（真偽、金種、表裏等）が識別できず、正常な紙幣と見做されない紙幣を受け取る。正常でない紙幣は、入金等の対象とならないため、計数されることなく入金リジェクト部１０２に払い出される。出金部１０３は、主に、一時保留部１０８から返却された紙幣や金種別収納部１１０ａ〜１１０ｃから繰り出された紙幣を受け取る。束出金部１０４は、束出金口１４に設けられ、主に、束金種別収納部１１５ａ〜１１５ｄから繰り出された束紙幣を受け取る。
【００２４】
搬送部１０５は、入金部１０１と、入金リジェクト部１０２と、出金部１０３と、一時保留部１０８と、一括収納部１０９と、３つの金種別収納部１１０ａ〜１１０ｃと、２つの集積部１１１ａ、１１１ｂとの間に巡らされる。搬送部１０５は、入金部１０１から繰り出された紙幣を、入金リジェクト部１０２、一時保留部１０８、一括収納部１０９および金種別収納部１１０ａ〜１１０ｃに搬送する。また、搬送部１０５は、金種別収納部１１０ａ〜１１０ｃから繰り出された紙幣を出金部１０３に搬送する。さらに、搬送部１０５は、一時保留部１０８から繰り出された紙幣を、出金部１０３、一括収納部１０９および金種別収納部１１０ａ〜１１０ｃに搬送する。さらに、搬送部１０５は、入金部１０１、一時保留部１０８および金種別収納部１１０ａ〜１１０ｃから繰り出された紙幣を集積部１１１ａ、１１１ｂに搬送する。
【００２５】
識別部１０６は、搬送部１０５を流れる紙幣の属性を識別し、識別結果を後述する機器制御部に出力する。識別される属性には、紙幣の真偽および金種、紙幣の表裏の他、紙幣の天地の方向が含まれる。本実施形態では、紙幣に描かれた肖像の頭が向いている方向が紙幣の天方向と定義され、その反対方向が紙幣の地方向と定義される。
【００２６】
表裏揃え部１０７は、搬送部１０５を流れる紙幣の表裏を揃える。表裏揃え部１０７は、搬送部１０５の一部を構成する反転経路１０７ａおよび非反転経路１０７ｂを含む。反転経路１０７ａは、紙幣を表裏反転させる機構を含む。たとえば、表向きの紙幣が非反転経路１０７ｂを流され、裏向きの紙幣が反転経路１０７ａを流されることにより、表裏揃え部１０７を通過した後の紙幣は全て表向きに揃えられる。
【００２７】
一時保留部１０８は、入金部１０１に投入され、識別部１０６により属性が識別された正常な紙幣を、一時的に保留する。一時保留部１０８は、繰出機構を備えており、保留された紙幣を搬送部１０５へ繰り出すことができる。一時保留部１０８は、扉１５が開放されると、外部に露出する。これにより、ユーザは、一時保留部１０８の取出口から紙幣を直接取り出すことができる。
【００２８】
一括収納部１０９は、一時保留部１０８から繰り出された紙幣であって、識別部１０６により金種が識別できなかった紙幣や、２千円札など、金種別収納部１１０ａ〜１１０ｃが割り当てられていない紙幣や、対応する金種別収納部に収納しきれなかったオーバーフロー紙幣等を収納する。一括収納部１０９は、繰出機構を備えていないため、収納された紙幣を搬送部１０５へ繰り出せない。
【００２９】
金種別収納部１１０ａ〜１１０ｃには、一時保留部１０８から繰り出された紙幣であって、識別部１０６により金種が識別された紙幣が、金種ごとに振り分けて収納される。たとえば、金種別収納部１１０ａに１万円札が割り当てられ、金種別収納部１１０ｂに５千円札が割り当てられ、金種別収納部１１０ｃに千円札が割り当てられる。金種別収納部１１０ａ〜１１０ｃは、繰出機構を備えており、収納された紙幣を搬送部１０５へ繰り出すことができる。
【００３０】
図２（ｂ）に示すように、一括収納部１０９および金種別収納部１１０ａ〜１１０ｃには、収納された紙幣を検知するための紙幣検知部１３０が設けられている。紙幣検知部１３０は、紙幣を昇降させるステージ１３１に形成された貫通孔１３１ａと、ステージ１３１が最も下方の初期位置にあるときに、発せられた光が貫通孔１３１ａを通るように配置された発光部１３２と、貫通孔１３１ａを通過した光を受ける受光部１３３と、を含む。一括収納部１０９や金種別収納部１１０ａ〜１１０ｃ、即ちステージ１３１上に紙幣が存在するときには、発光部１３２からの光が紙幣で遮られ、受光部１３３で受光されない（図２（ｂ）の実線矢印参照）。一方、一括収納部１０９や金種別収納部１１０ａ〜１１０ｃが空であり、ステージ１３１上に紙幣が存在しないときには、発光部１３２からの光を遮るものがないため、受光部１３３で受光される（図２（ｂ）の破線矢印参照）。受光部１３３が受光すると、紙幣検知部１３０から、一括収納部１０９や金種別収納部１１０ａ〜１１０ｃに紙幣がないことを示す検知信号が出力される。
【００３１】
集積部１１１ａ、１１１ｂは、搬送部１０５により搬送された紙幣を、帯封により結束される結束単位となる所定の枚数（以下、「結束枚数」という）、たとえば、１００枚となるまで集積する。集積部１１１ａ、１１１ｂには、結束枚数に満たなかった端数の紙幣をユーザが回収できるように、扉で開閉される取出口が設けられている。
【００３２】
結束部１１２は、アーム機構、結束機構および搬送機構を備え、集積部１１１ａ、１１１ｂに集積された紙幣の束をアーム機構により取り出し、取り出した紙幣の束に、結束機構により帯封を掛けて束紙幣を生成し、生成した束紙幣を搬送機構により揚送部１１３へ送り込む。揚送部１１３は、上下方向に搬送路が形成されるとともに搬送路内にリフト機構を備え、結束部１１２から送り込まれた束紙幣をリフト機構によって揚送部１１３の上部に配置された束搬送部１１４へ送る。
【００３３】
束搬送部１１４は、揚送部１１３から送られてきた束紙幣を、４つの束金種別収納部１１５ａ〜１１５ｄのうち、その束紙幣の金種に対応する束金種別収納部へ搬送する。また、束搬送部１１４は、各束金種別収納部１１５ａ〜１１５ｄから繰り出された束紙幣を束出金部１０４へ搬送する。
【００３４】
束金種別収納部１１５ａ〜１１５ｄは、それぞれに割り当てられた金種の束紙幣を収納する。たとえば、２つの束金種別収納部１１５ａ、１１５ｂに１万円札が割り当てられ、束金種別収納部１１５ｃに５千円札が割り当てられ、束金種別収納部１１５ｄに千円札が割り当てられる。束金種別収納部１１５ａ〜１１５ｄは、繰出機構を備えており、収納された束紙幣を束搬送部１１４へ繰り出すことができる。
【００３５】
図３は、本実施形態に係る、紙幣処理装置１の主たる構成を示すブロック図である。
【００３６】
紙幣処理機１０は、上述した各部１０１〜１１５ｄの他、機器制御部１１６および機器記憶部１１７を備えている。
【００３７】
機器制御部１１６は、ＣＰＵ（Central Processing Unit）等の演算回路を備え、機器記憶部１１７に記憶されたプログラムに従って、各部１０１〜１１５ｄを制御する。機器記憶部１１７は、ＲＯＭ（Read Only Memory）、ＲＡＭ（Random Access Memory）やハードディスク等の記憶媒体を備え、機器制御部１１６の動作プログラムを記憶し、また、機器制御部１１６の制御処理の際にワーク領域として利用される。
【００３８】
操作端末２０は、上述した操作表示部２０１の他、端末制御部２０２および端末記憶部２０３を備えている。
【００３９】
操作表示部２０１は、ディスプレイ２１１とタッチセンサ２１２とからなるタッチパネルで構成される。ディスプレイ２１１は、各種の画像（画面）を表示する。タッチセンサ２１２は、ディスプレイ２１１に重ねられディスプレイ２１１に対するユーザのタッチ操作を検出する。プリンタ３０は、入出金された紙幣の枚数、金額等、処理結果の情報を、ジャーナルとして用紙に印字する。
【００４０】
端末制御部２０２は、ＣＰＵ等の演算回路を備え、端末記憶部２０３に記憶されたプログラムに従って、操作表示部２０１、プリンタ３０等を制御する。端末記憶部２０３は、ＲＯＭ、ＲＡＭやハードディスク等の記憶媒体を備え、端末制御部２０２の動作プログラムを記憶し、また、端末制御部２０２の制御処理の際にワーク領域として利用される。
【００４１】
さて、紙幣処理装置１では、バラ紙幣を入金するバラ紙幣入金処理、バラ紙幣を出金するバラ紙幣出金処理および束紙幣を出金する束紙幣出金処理が行われる。
【００４２】
バラ紙幣入金処理では、入金部１０１に投入されたバラ紙幣が、金種等の識別、計数および表裏揃えが行われた後に一時保留部１０８に保留される。保留されたバラ紙幣は、ユーザの承認操作に基づいて一時保留部１０８から繰り出され、識別された金種に応じて、一括収納部１０９および各金種別収納部１１０ａ〜１１０ｃに振り分けて収納される。
【００４３】
バラ紙幣出金処理では、ユーザにより指定された金額の紙幣が、各金種別収納部１１０ａ〜１１０ｃから繰り出され、金種等の識別および計数が行われた後に出金部１０３に払い出される。
【００４４】
束紙幣出金処理では、ユーザにより指定された金種および束数の束紙幣が、各束金種別収納部１１５ａ〜１１５ｄから繰り出され、束出金部１０４に払い出される。
【００４５】
＜紙幣整理処理＞
本実施形態の紙幣処理装置１では、入金処理、出金処理等の他、入金部１０１に投入された紙幣を整理する紙幣整理処理が実行される。紙幣整理処理が実行されると、入金部１０１に投入されたバラ紙幣の枚数が金種ごとに計数されるととともに、結束対象金種のバラ紙幣が帯封で結束されて束紙幣（帯封紙幣）とされ、結束対象金種の束紙幣と結束対象金種外のバラ紙幣とに分けられる。分けられた結束対象金種の束紙幣と結束対象金種外のバラ紙幣とが、ユーザによって紙幣処理機１０から取り出される。この紙幣整理処理において、結束対象金種のバラ紙幣は、天地の方向が同じ紙幣同士が結束され、これにより、天地が揃った束紙幣が生成される。
【００４６】
本実施形態の紙幣処理装置１では、紙幣処理機１０に２つの集積部１１１ａ、１１１ｂが備えられているため、一度に２金種までの紙幣の結束を行うことができる。結束対象金種を１金種とするか２金種とするかは、ユーザによって予め設定される。
【００４７】
紙幣整理処理において、端末制御部２０２と機器制御部１１６は、共同して整理実行部として機能する。整理実行部は、入金部１０１に入金された紙幣のうち結束対象とならない紙幣を、当該紙幣が外部へ出される前に計数する。また、整理実行部は、入金部１０１に投入された紙幣のうち結束対象となる紙幣であって天方向が搬送部１０５による紙幣の搬送方向を向く紙幣を、計数した後に結束部１１２で結束し、結束された紙幣を束出金部１０４に払い出す。さらに、整理実行部は、結束対象となる紙幣であって地方向が紙幣の搬送方向を向く紙幣を、計数することなく入金リジェクト部１０２に払い出す。なお、搬送部１０５による紙幣の搬送方向は、特許請求の範囲に記載の「所定方向」に対応する。
【００４８】
以下、端末制御部２０２と機器制御部１１６とにより実行される紙幣整理処理について、図４ないし図８を参照して詳細に説明する。
【００４９】
図４は、本実施形態に係る、端末制御部２０２が実行する紙幣整理処理の制御動作を示すフローチャートである。図５は、本実施形態に係る、機器制御部１１６が実行する紙幣整理処理の制御動作を示すフローチャートである。図６は、本実施形態に係る、紙幣整理処理が実行される場合に操作表示部２０１に表示される画面の遷移について例示した図である。図７（ａ）は、本実施形態に係る、紙幣整理処理における紙幣処理機１０内での結束対象金種外の紙幣の流れを示す図であり、図７（ｂ）は、本実施形態に係る、紙幣整理処理における紙幣処理機１０内での結束対象金種の紙幣の流れを示す図である。図８は、本実施形態に係る、プリンタ３０により印刷される整理結果のジャーナルについて例示した図である。
【００５０】
端末制御部２０２は、操作表示部２０１（ディスプレイ２１１）に、初期画面として、バラ紙幣入金処理、バラ紙幣出金処理、束紙幣出金処理、紙幣整理処理、紙幣結束処理（後述する）等の各種処理を選択できるメニュー画面を表示する。かかるメニュー画面から紙幣整理処理が選択されると、図４に示す、端末制御部２０２による紙幣整理処理が開始される。なお、紙幣整理処理が行われるに際し、整理の対象となる、ある程度纏まった量のバラ紙幣が、ユーザにより入金部１０１に投入される。
【００５１】
端末制御部２０２は、操作表示部２０１（ディスプレイ２１１）に開始操作画面を表示する（Ｓ１０１）。図６の「画面Ａ」に示すように、開始操作画面は、現在実行中の処理が表示される処理名表示領域Ｒ１１と、主たる情報が表示されるメイン情報表示領域Ｒ１２と、従たる情報が表示されるサブ情報表示領域Ｒ１３と、操作ボタンが表示される操作領域Ｒ１４とを含む。開始操作画面の処理名表示領域Ｒ１１には、現在の処理が紙幣整理処理であることを示す「整理」の表示がなされる。また、メイン情報表示領域Ｒ１２には、整理すべき紙幣の入金部１０１への投入を促す画像が表示される。さらに、サブ情報表示領域Ｒ１３には、結束対象金種が１金種であるか２金種であるかを示す表示（「画面Ａ」では、１金種と表示）と、結束される紙幣が天地揃えとなることを示す表示とがなされる。さらに、操作領域Ｒ１４には、開始操作を行うための開始ボタンＢ１１と、取消操作を行うための取消ボタンＢ１２とが表示される。
【００５２】
端末制御部２０２は、開始ボタンＢ１１による開始操作がなされたか、あるいは、取消ボタンＢ１２による取消操作がなされたかを監視する（Ｓ１０２、Ｓ１０３）。
【００５３】
ユーザは、整理すべき紙幣を入金部１０１に投入した後に開始操作を行う。開始操作がなされると（Ｓ１０２：ＹＥＳ）、端末制御部２０２は、機器制御部１１６に対して整理開始を指示する（Ｓ１０４）。そして、端末制御部２０２は、整理実行画面を操作表示部２０１に表示する（Ｓ１０５）。
【００５４】
図６の「画面Ｂ」に示すように、整理実行画面は、開始操作画面と同様、処理名表示領域Ｒ１１、メイン情報表示領域Ｒ１２、サブ情報表示領域Ｒ１３および操作領域Ｒ１４を含む。整理実行画面では、メイン情報表示領域Ｒ１２に、結束対象金種の紙幣に関する第１ウィンドウＷ１１と、結束対象金種外の紙幣に関する第２ウィンドウＷ１２が配される。第１ウィンドウＷ１１には、生成した束紙幣の束数および金額と、端数の紙幣の枚数および金額とが金種ごとに表示される。第２ウィンドウＷ１２には、整理対象外（結束対象金種外）の紙幣の枚数および金額が金種ごとに表示される。さらに、操作領域Ｒ１４に、完了操作を行うための完了ボタンＢ１３と、続けて整理を行うときの開始操作を行うための継続開始ボタンＢ１４とが表示される。
【００５５】
なお、紙幣処理機１０側で紙幣整理処理が開始されておらず、計数結果が何ら送られてきてないときは、束数、枚数および金額は、全て「０」の表示となる。また、紙幣処理機１０側での紙幣整理処理の結果、入金リジェクト部１０２に払い出された紙幣（結束された紙幣と天地の方向が異なる紙幣）が、入金リジェクト部１０２から取り出されない間は、完了ボタンＢ１３と継続開始ボタンＢ１４とがグレーアウト表示され、これら操作ボタンＢ１３、Ｂ１４の操作が行えない。紙幣処理機１０側で紙幣整理処理が開始され、計数結果が送られてくると、第１ウィンドウＷ１１および第２ウィンドウＷ１２の束数、枚数、金額等の情報の表示が、リアルタイムに更新される。
【００５６】
端末制御部２０２により整理開始が指示されると、図５に示す、機器制御部１１６による紙幣整理処理が開始される。この紙幣整理処理は、Ｓ２０１ないしＳ２１１の処理からなる整理処理を含む。このＳ２０１ないしＳ２１１の処理からなる整理処理は、特許請求の範囲に記載の「整理処理」に対応する。
【００５７】
機器制御部１１６は、入金部１０１から一枚ずつ紙幣を繰り出させ（Ｓ２０１）、繰り出した紙幣の属性（金種、表裏、天地の方向等）を識別部１０６により識別する（Ｓ２０２）。次に、機器制御部１１６は、識別部１０６での識別の結果、識別された紙幣が裏を向いている場合に、その紙幣を表裏揃え部１０７の反転経路１０７ａに通して表を向くように反転させ、紙幣の表裏が揃うようにする（Ｓ２０３）。
【００５８】
次に、機器制御部１１６は、識別部１０６での識別の結果から、識別された紙幣が結束対象金種の紙幣であるか否かを判定する（Ｓ２０４）。本実施形態では、結束対象金種が１金種である場合には、識別部１０６により最初に識別された金種が結束対象金種に設定され、結束対象金種が２金種である場合には、識別部１０６により最初に識別された金種と２番目に識別された金種とが結束対象金種に設定される。なお、このように結束対象金種が自動的に設定されるのではなく、ユーザの操作によって結束対象金種が予め指定されるようにしてもよい。
【００５９】
識別された紙幣が結束対象金種の紙幣でない場合（Ｓ２０４：ＮＯ）、機器制御部１１６は、その結束対象金種外の紙幣を計数するとともに、搬送部１０５を制御して、結束対象金種外の紙幣を一時保留部１０８へ搬送する（Ｓ２０５）。なお、入金部１０１へ入金された結束対象金種外の紙幣の紙幣処理機１０内での流れは、図７（ａ）の実線矢印に示すものとなる。
【００６０】
一方、識別された紙幣が結束対象金種の紙幣である場合（Ｓ２０４：ＹＥＳ）、機器制御部１１６は、その紙幣の天方向が搬送部１０５による紙幣の搬送方向を向いているか否かを判定する（Ｓ２０６）。
【００６１】
識別された紙幣の天方向が搬送方向を向いていない場合、即ち、その紙幣の地方向が搬送方向を向いている場合（Ｓ２０６：ＮＯ）、機器制御部１１６は、搬送部１０５を制御して、その紙幣を計数することなく入金リジェクト部１０２へ搬送する（Ｓ２０７）。一方、識別された紙幣の天方向が搬送方向を向いている場合（Ｓ２０６：ＹＥＳ）、機器制御部１１６は、その紙幣を計数するとともに、搬送部１０５を制御して、その紙幣を集積部１１１ａ、１１１ｂへ搬送する（Ｓ２０８）。このとき、結束対象金種が１金種であれば、何れかの集積部、たとえば、下段の集積部１１１ｂへ紙幣が搬送される。また、結束対象金種が２金種であれば、一方の金種の紙幣が上段の集積部１１１ａに搬送され、他方の金種の紙幣が、下段の集積部１１１ｂへ紙幣が搬送される。
【００６２】
次に、機器制御部１１６は、集積部１１１ａ、１１１ｂ内の紙幣が結束枚数に到達したか否かを判定する（Ｓ２０９）。紙幣が結束枚数に到達すると（Ｓ２０９：ＹＥＳ）、機器制御部１１６は、結束部１１２を制御して、結束枚数の紙幣を帯封で結束し束紙幣を生成する（Ｓ２１０）。そして、機器制御部１１６は、生成した束紙幣を計数するとともに、揚送部１１３および束搬送部１１４を制御して、その束紙幣を束出金部１０４へ搬送する（Ｓ２１１）。
【００６３】
なお、入金部１０１へ入金された結束対象金種の紙幣のうち、天方向が搬送方向を向く紙幣の紙幣処理機１０内での流れは、図７（ｂ）の実線矢印に示すものとなる。一方、地方向が搬送方向を向く紙幣の紙幣処理機１０内での流れは、図７（ｂ）において、表裏揃え部１０７を通過するまでは実線矢印に示すものとなり、表裏揃え部１０７の下流位置の分岐部分からは破線矢印に示すものとなる。
【００６４】
機器制御部１１６は、入金部１０１に投入された全ての紙幣が繰り出されるまで（Ｓ２１２：ＮＯ）、Ｓ２０１ないしＳ２１１の処理を繰り返す。なお、Ｓ２０５、Ｓ２０８およびＳ２１１での計数結果は、機器制御部１１６によって、リアルタイムに端末制御部２０２に通知される。全ての紙幣が繰り出されると（Ｓ２１２：ＹＥＳ）、機器制御部１１６は、全ての紙幣の繰出しが完了したことを端末制御部２０２へ通知する（Ｓ２１３）。
【００６５】
図４に戻り、機器制御部１１６から繰出しの完了が通知されると、端末制御部２０２は、Ｓ１０６において、紙幣の整理が完了したと判定する（Ｓ１０６：ＹＥＳ）。このとき、図６の「画面Ｃ」に示すように、整理実行画面の第１ウィンドウＷ１１には、整理した紙幣の合計金額に加えて、生成した束紙幣の最終束数および最終金額と、端数の紙幣の最終枚数および最終金額とが金種ごとに表示される。また、第２ウィンドウＷ１２には、整理対象外（結束対象金種外）の紙幣の合計金額に加えて、整理対象外の紙幣の最終枚数および最終金額が金種ごとに表示される。ここでは、天方向が搬送方向を向く１万円紙幣４２０枚（＝４２０万円）が計数され、４束の束紙幣が生成され、２０枚（＝２万円）の端数紙幣が集積部１１１ａ、１１１ｂに残っている。また、５０万円分の１万円以外の紙幣が計数された後に一時保留部１０８に保留されている。なお、結束対象金種の紙幣（１万円紙幣）であるが、天地の方向の相違により結束されずに入金リジェクト部１０２に払い出された紙幣については、計数されないため、それら紙幣に係る枚数や金額は、整理実行画面に含まれない。
【００６６】
次に、端末制御部２０２は、入金リジェクト部１０２から紙幣が取り出されたか否かを判定する（Ｓ１０７）。このとき、図６の「画面Ｃ」には描かれていないが、端末制御部２０２が、紙幣の取り出しを促す通知ウィンドウを操作表示部２０１にポップアップ表示させることが望ましい。
【００６７】
入金リジェクト部１０２から紙幣の取り出しがあると、紙幣が取り出されたことが機器制御部１１６から端末制御部２０２へ通知される。入金リジェクト部１０２から紙幣が取り出されると、図６の「画面Ｃ」のように、完了ボタンＢ１３と継続開始ボタンＢ１４のグレーアウト表示が解消され、これら操作ボタンＢ１３、Ｂ１４の操作が可能となる。
【００６８】
入金リジェクト部１０２から紙幣が取り出されると（Ｓ１０７：ＹＥＳ）、端末制御部２０２は、完了ボタンＢ１３による完了操作がなされたか、あるいは、継続開始ボタンＢ１４による開始操作がなされたかを監視する（Ｓ１０８、Ｓ１０９）。
【００６９】
ユーザは、入金リジェクト部１０２から取り出した紙幣を、それら紙幣の天方向が搬送方向を向くような状態で入金部１０１に投入（再投入）し、開始操作を行う。
【００７０】
開始操作が行われると（Ｓ１０９：ＹＥＳ）、端末制御部２０２は、機器制御部１１６に対して、整理開始を指示する（Ｓ１１０）。
【００７１】
図５に戻り、Ｓ２１２で繰出しの完了を通知した後、機器制御部１１６は、端末制御部２０２から紙幣の返却の指示を受けたか、あるいは、整理開始の指示を受けたかを監視する（Ｓ２１４、Ｓ２１５）。
【００７２】
整理開始の指示を受けた場合（Ｓ２１５：ＹＥＳ）、機器制御部１１６は、Ｓ２０１ないしＳ２１１の処理からなる２回目の整理処理を行う。２回目に入金部１０１に投入された紙幣は、結束対象金種、且つ、天方向が搬送方向を向く紙幣であるため、これら紙幣は全て集積部１１１ａ、１１１ｂへ搬送され、集積部１１１ａ、１１１ｂの端数の紙幣に加えられる。そして、集積部１１１ａ、１１１ｂ内の紙幣が結束枚数に到達すると、これら紙幣が結束部１１２で結束されて束紙幣が生成され、生成された束紙幣が束出金部１０４に払い出される。こうして、２回目の整理処理が実行されると、結束対象金種のバラ紙幣が、端数分を除いて、全て、表裏のみならず天地の揃った結束対象金種の束紙幣に変換される。
【００７３】
２回目に入金部１０１に投入された紙幣は、結束されて束紙幣とされる際に、計数され、その計数結果は、機器制御部１１６によって端末制御部２０２に通知される。これにより、端末制御部２０２は、２回目の整理処理による計数結果を１回目の整理処理による計数結果に加えた計数結果を、図６の「画面Ｄ」に示すように、整理実行画面の第１ウィンドウＷ１１および第２ウィンドウＷ１２により操作表示部２０１に表示する。ここでは、２回目の整理処理によって８０枚の１万円紙幣が計数され、新たに１束の結束紙幣が生成され、１回目の端数紙幣と合わせて５束の結束紙幣が生成されている。集積部１１１ａ、１１１ｂには、端数紙幣は残っていない。こうして、ユーザは、２回目の整理処理が終わると完了操作を行う。
【００７４】
図４に戻り、整理実行画面上で完了操作が行われると（Ｓ１０８：ＹＥＳ）、端末制御部２０２は、図８に示すような整理結果のジャーナルをプリンタ３０に印刷させる（Ｓ１１１）。整理結果のジャーナルには、たとえば、結束対象金種の束紙幣の束数（整理束数）と、結束対象金種の端数の紙幣の枚数（整理端数）と、計数分の紙幣の枚数および金額とが金種ごとに表示されるとともに、計数合計枚数が表示される。その後、端末制御部２０２は、一時保留部１０８に保留された結束対象金種外の紙幣の返却を指示し（Ｓ１１２）、整理実行画面を閉じて、再び、開始操作画面を操作表示部２０１に表示する（Ｓ１０１）。開始操作画面上において、ユーザが取消ボタンＢ１２による取消操作を行うと（Ｓ１０３：ＹＥＳ）、端末制御部２０２は、紙幣整理処理を終了する。開始操作画面が閉じられ、操作表示部２０１に、再び、メニュー画面が表示される。
【００７５】
図５に戻り、端末制御部２０２から紙幣の返却の指示を受けると（Ｓ２１４：ＹＥＳ）、機器制御部１１６は、一時保留部１０８から結束対象金種外の紙幣を繰り出し、搬送部１０５を制御して、繰り出した紙幣を出金部１０３に搬送する（Ｓ２１６）。出金部１０３への紙幣の搬送が終わると、機器制御部１１６は、紙幣整理処理を終了する。なお、集積部１１１ａ、１１１ｂに端数紙幣が残っていた場合は、端数紙幣も回収されるものとする。
【００７６】
このようにして、端末制御部２０２と機器制御部１１６とによる紙幣整理処理が完了すると、ユーザは、束出金部１０４から結束対象金種の束紙幣を取り出すとともに、出金部１０３から結束対象金種外の紙幣を取り出す。さらに、ユーザは、集積部１１１ａ、１１１ｂに端数の結束対象金種の紙幣が残っていれば、集積部１１１ａ、１１１ｂの取出口からそれら紙幣を回収する。
【００７７】
＜紙幣結束処理＞
本実施形態の紙幣処理装置１では、さらに、入金部１０１に投入された紙幣を結束する紙幣結束処理が実行される。紙幣結束処理が実行されると、入金部１０１に投入されたバラ紙幣が帯封で結束されて束紙幣（帯封紙幣）とされ、紙幣処理装置１から払い出される。紙幣結束処理において、天地の方向が同じ紙幣同士が結束され、これにより、天地が揃った束紙幣が生成される。紙幣結束処理は、投入されたバラ紙幣から束紙幣を生成することを目的としており、投入された紙幣全体の計数を目的としていない。このため、紙幣結束処理では、上記紙幣整理処理と異なり、投入された紙幣の中に、結束対象金種外の紙幣が混在していた場合、その紙幣は、計数されることなく、紙幣処理機１０から排除される。また、紙幣結束処理では、上記紙幣整理処理と異なり、天地の方向が異なるため最初に結束されなかった紙幣をユーザが入金部１０１に再投入しなくとも、これら紙幣を自動的に束紙幣にすることができる。
【００７８】
紙幣結束処理において、端末制御部２０２と機器制御部１１６は、共同して結束実行部として機能する。結束実行部は、入金部１０１に投入された紙幣のうち結束対象となる紙幣であって天方向が搬送方向を向く紙幣を結束部１１２で結束し、結束された紙幣を束出金部１０４に払い出す。また、結束実行部は、結束対象となる紙幣であって地方向が搬送方向を向く紙幣を一時保留部１０８に保留し、一時保留部１０８に保留された紙幣の枚数が結束枚数以上である場合に、一時保留部１０８から紙幣を繰り出して結束部１１２で結束し、結束された紙幣を束出金部１０４に払い出す。
【００７９】
以下、端末制御部２０２と機器制御部１１６とにより実行される紙幣結束処理について、図９ないし図１２を参照して詳細に説明する。
【００８０】
図９は、本実施形態に係る、端末制御部２０２が実行する紙幣結束処理の制御動作を示すフローチャートである。図１０は、本実施形態に係る、機器制御部１１６が実行する紙幣結束処理の制御動作を示すフローチャートである。図１１は、本実施形態に係る、紙幣結束処理が実行される場合に操作表示部２０１に表示される画面の遷移について例示した図である。図１２（ａ）および（ｂ）は、本実施形態に係る、紙幣結束整理における紙幣処理機１０内での結束対象金種の紙幣の流れを示す図である。
【００８１】
操作表示部２０１に表示されたメニュー画面から紙幣結束処理が選択されると、図９に示す、端末制御部２０２による紙幣結束処理が開始される。なお、紙幣結束処理が行われるに際し、結束の対象となる、ある程度纏まった量のバラ紙幣が、ユーザにより入金部１０１に投入される。
【００８２】
端末制御部２０２は、操作表示部２０１に開始操作画面を表示する（Ｓ３０１）。図１１の「画面Ａ」に示すように、紙幣結束処理の開始操作画面は、紙幣整理処理の開始操作画面と同様、処理名表示領域Ｒ１１、メイン情報表示領域Ｒ１２、サブ情報表示領域Ｒ１３および操作領域Ｒ１４を含む。処理名表示領域Ｒ１１には、現在の処理が紙幣結束処理であることを示す「結束」の表示がなされる。また、サブ情報表示領域Ｒ１３には、結束される紙幣が天地揃えとなることを示す表示がなされる。
【００８３】
端末制御部２０２は、開始ボタンＢ１１による開始操作がなされたか、あるいは、取消ボタンＢ１２による取消操作がなされたかを監視する（Ｓ３０２、Ｓ３０３）。
【００８４】
ユーザは、結束すべき紙幣を入金部１０１に投入した後に開始操作を行う。開始操作がなされると（Ｓ３０２：ＹＥＳ）、端末制御部２０２は、機器制御部１１６に対して結束開始を指示する（Ｓ３０４）。そして、端末制御部２０２は、結束実行画面を操作表示部２０１に表示する（Ｓ３０５）。
【００８５】
図１１の「画面Ｂ」に示すように、結束実行画面は、開始操作画面と同様、処理名表示領域Ｒ１１、メイン情報表示領域Ｒ１２、サブ情報表示領域Ｒ１３および操作領域Ｒ１４を含む。結束実行画面では、メイン情報表示領域Ｒ１２に、結束した紙幣に関する情報表示ウィンドウＷ１３が配される。情報表示ウィンドウＷ１３には、生成した束紙幣の束数および金額と、端数の紙幣の枚数および金額とが表示される。さらに、操作領域Ｒ１４に、完了操作を行うための完了ボタンＢ１３が表示される。
【００８６】
なお、紙幣処理機１０側で紙幣結束処理が開始されておらず、計数結果が何ら送られてきてないときは、束数、枚数および金額は、全て「０」の表示となる。また、全ての束紙幣の生成が完了しない間は、完了ボタンＢ１３がグレーアウト表示され、完了ボタンＢ１３の操作が行えない。紙幣処理機１０側で紙幣結束処理が開始され、計数結果が送られてくると、情報表示ウィンドウＷ１３の束数、枚数、金額等の情報の表示が、リアルタイムに更新される。
【００８７】
端末制御部２０２により結束開始が指示されると、図１０に示す、機器制御部１１６による紙幣結束処理が開始される。
【００８８】
機器制御部１１６は、入金部１０１から一枚ずつ紙幣を繰り出させ（Ｓ４０１）、繰り出した紙幣の属性（金種、表裏、天地の方向等）を識別部１０６により識別する（Ｓ４０２）。次に、機器制御部１１６は、識別部１０６での識別の結果、識別された紙幣が裏を向いている場合に、その紙幣を表裏揃え部１０７の反転経路１０７ａに通して表を向くように反転させ、紙幣の表裏が揃うようにする（Ｓ４０３）。
【００８９】
次に、機器制御部１１６は、識別部１０６での識別の結果から、識別された紙幣が結束対象金種の紙幣であるか否かを判定する（Ｓ４０４）。識別部１０６により最初に識別された金種が結束対象金種に設定される。なお、このように結束対象金種が自動的に設定されるのではなく、ユーザの操作によって結束対象金種が予め指定されるようにしてもよい。
【００９０】
識別された紙幣が結束対象金種の紙幣でない場合（Ｓ４０４：ＮＯ）、機器制御部１１６は、搬送部１０５を制御して、その結束対象金種外の紙幣を計数することなく入金リジェクト部１０２へ搬送する（Ｓ４０５）。
【００９１】
一方、識別された紙幣が結束対象金種の紙幣である場合（Ｓ４０４：ＹＥＳ）、機器制御部１１６は、その紙幣の天方向が搬送方向を向いているか否かを判定する（Ｓ４０６）。
【００９２】
識別された紙幣の天方向が搬送方向を向いていない場合、即ち、その紙幣の地方向が搬送方向を向いている場合（Ｓ４０６：ＮＯ）、機器制御部１１６は、その紙幣を計数するとともに、搬送部１０５を制御して、その紙幣を一時保留部１０８へ搬送する（Ｓ４０７）。一方、識別された紙幣の天方向が搬送方向を向いている場合（Ｓ４０６：ＹＥＳ）、機器制御部１１６は、その紙幣を計数するとともに、搬送部１０５を制御して、その紙幣を集積部１１１ａ、１１１ｂのうち予め決められた集積部、たとえば、下段の集積部１１１ｂへ搬送する（Ｓ４０８）。
【００９３】
次に、機器制御部１１６は、集積部１１１ｂ内の紙幣が結束枚数に到達したか否かを判定する（Ｓ４０９）。紙幣が結束枚数に到達すると（Ｓ４０９：ＹＥＳ）、機器制御部１１６は、結束部１１２を制御して、結束枚数の紙幣を帯封で結束し束紙幣を生成する（Ｓ４１０）。そして、機器制御部１１６は、生成した束紙幣を計数するとともに、揚送部１１３および束搬送部１１４を制御して、その束紙幣を束出金部１０４へ搬送する（Ｓ４１１）。
【００９４】
機器制御部１１６は、入金部１０１に投入された全ての紙幣が繰り出されるまで（Ｓ４１２：ＮＯ）、Ｓ４０１ないしＳ４１１の処理を繰り返す。なお、Ｓ４０７、Ｓ４０８およびＳ４１１での計数結果は、機器制御部１１６によって、リアルタイムに端末制御部２０２に通知される。
【００９５】
こうして、天方向が搬送方向を向く結束対象金種の紙幣は、図１２（ａ）の実線矢印に示す流れにて、束紙幣に変換されて束出金部１０４に払い出される。一方、地方向が搬送方向を向く結束対象金種の紙幣は、図１２（ａ）において、表裏揃え部１０７を通過するまでは実線矢印に示すものとなり、表裏揃え部１０７の下流位置の分岐部分からは破線矢印に示す流れにて、一時保留部１０８に保留される。
【００９６】
全ての紙幣が繰り出されると（Ｓ４１２：ＹＥＳ）、機器制御部１１６は、一時保留部１０８に紙幣があるか否かを判定する（Ｓ４１３）。一時保留部１０８に紙幣があれば（Ｓ４１３：ＹＥＳ）、機器制御部１１６は、さらに、存在する紙幣が結束枚数以上であるか否かを判定する（Ｓ４１４）。
【００９７】
一時保留部１０８に存在する紙幣が結束枚数以上である場合（Ｓ４１４：ＹＥＳ）、機器制御部１１６は、一時保留部１０８から紙幣を繰り出して下段の集積部１１１ｂへ搬送し、結束枚数に達した紙幣を結束部１１２で結束して束紙幣を生成する（Ｓ４１５）。そして、機器制御部１１６は、生成した束紙幣を計数するとともに束出金部１０４へ搬送する（Ｓ４１６）。なお、一時保留部１０８の紙幣は、天方向が搬送方向を向く状態で搬送部１０５へ繰り出される。このようにして、一時保留部１０８に保留された結束枚数以上の紙幣は、図１２（ｂ）の実線矢印に示す流れにて、束紙幣に変換されて束出金部１０４へ払い出される。束紙幣を生成して払い出した後は、再び一時保留部１０８に紙幣があるか否かの判定に戻って（Ｓ４１３）、処理を繰り返す。
【００９８】
一方、一時保留部１０８に存在する紙幣が結束枚数未満である場合（Ｓ４１４：ＮＯ）、機器制御部１１６は、一時保留部１０８から紙幣を繰り出して出金部１０３へ搬送する（Ｓ４１７）。
【００９９】
一時保留部１０８に紙幣がない場合、機器制御部１１６は、紙幣の結束が完了したことを端末制御部２０２へ通知する（Ｓ４１８）。一時保留部１０８の紙幣を出金部１０３へ払い出し終えた場合、および、一時保留部１０８の紙幣を束紙幣にして束出金部１０４へ払い出し終えて紙幣が残っていなかった場合も、機器制御部１１６は、紙幣の結束が完了したことを端末制御部２０２へ通知する（Ｓ４１８）。そして、機器制御部１１６は、紙幣結束処理を終了する。
【０１００】
図９に戻り、機器制御部１１６から結束の完了が通知されると（Ｓ３０６：ＹＥＳ）、端末制御部２０２は、図１１の「画面Ｃ」に示すように、紙幣の結束が完了したことを示す通知ウィンドウＷ１４を結束実行画面上にポップアップ表示する（Ｓ３０７）。このとき、結束実行画面上の情報表示ウィンドウＷ１３には、計数した紙幣の最終金額に加えて、生成した束紙幣の最終束数および最終金額と、端数の紙幣の最終枚数および最終金額とが金種ごとに表示される。また、完了ボタンＢ１３のグレーアウト表示が解消され、完了ボタンＢ１３の操作が可能となる。
【０１０１】
ユーザにより完了操作が行われると（Ｓ３０８：ＹＥＳ）、端末制御部２０２は、整理実行画面を閉じて、再び、開始操作画面を操作表示部２０１に表示する（Ｓ３０１）。開始操作画面上において、ユーザが取消ボタンＢ１２による取消操作を行うと（Ｓ３０３：ＹＥＳ）、端末制御部２０２は、紙幣結束処理を終了する。開始操作画面が閉じられ、操作表示部２０１に、再び、メニュー画面が表示される。
【０１０２】
このようにして、端末制御部２０２と機器制御部１１６とによる紙幣結束処理が完了すると、ユーザは、束出金部１０４から結束対象金種の束紙幣を取り出す。また、入金リジェクト部１０２および出金部１０３に紙幣があれば、これら紙幣を取り出す。さらに、ユーザは、集積部１１１ｂに端数の紙幣が残っていれば、集積部１１１ｂの取出口からそれら紙幣を回収する。
【０１０３】
＜実施形態の効果＞
本実施形態によれば、以下の効果が奏され得る。
【０１０４】
紙幣整理処理を実行することにより、整理対象として投入された紙幣の計数を行うことができるとともに、投入された紙幣のうち結束対象金種の紙幣を、天地の揃った束紙幣にすることができる。
【０１０５】
また、紙幣整理処理では、天地の方向が異なるため最初の投入時に結束されない結束対象金種の紙幣（地方向が搬送方向を向く紙幣）が、計数されることなく、一旦入金リジェクト部１０２に払い出され、再投入により結束される際に計数されるので、２重の計数が行われることがない。よって、整理対象として投入された紙幣を、正確に計数することができる。
【０１０６】
さらに、紙幣整理処理では、投入された紙幣のうち結束対象金種外の紙幣は、出金部１０３に払い出されるので、ユーザが紙幣処理機１０（一時保留部１０８）内から結束対象金種外の紙幣を回収しなくてよく、ユーザの手間を省くことができる。
【０１０７】
さらに、紙幣整理処理では、再投入された紙幣に対して２回目の整理処理（Ｓ２０１〜Ｓ２１１）が実行された際、操作表示部２０１に表示された整理実行画面には、２回目の整理処理における紙幣の計数結果を１回目の整理処理における紙幣の計数結果に加えた計数結果が出力されるので、ユーザは、整理実行画面上において最終的な計数結果を容易に把握できる。
【０１０８】
さらに、紙幣結束処理を実行することにより、結束対象として投入された紙幣を、天地の揃った束紙幣にすることができる。しかも、天地の方向が異なるため最初に結束されなかった紙幣も自動的に結束されるので、これらの紙幣を再投入させるような手間をユーザに掛けさせることがない。
【０１０９】
さらに、紙幣結束処理では、最初に結束されなかった紙幣が一時保留部１０８に保留され、保留された紙幣の枚数が、結束可能な枚数（結束枚数）以上である場合に、一時保留部１０８から繰り出されて結束される。よって、枚数が足りないにもかかわらず、無駄に紙幣が結束部１１２側へ送られてしまうことを防止できる。
【０１１０】
さらに、紙幣結束処理では、一時保留部１０８に保留された紙幣の枚数が、結束可能な枚数（結束枚数）未満である場合に、それら紙幣が出金部１０３に払い出される。よって、ユーザは、結束されなかった紙幣を、装置内の一時保留部１０８内から直接回収しなくてよく、ユーザの手間を省くことができる。
【０１１１】
さらに、紙幣結束処理では、結束対象金種外の紙幣が入金リジェクト部１０２に払い出される。よって、ユーザは、結束対象金種外の紙幣を、紙幣処理機１０内から回収しなくてよく、ユーザの手間を省くことができる。
【０１１２】
＜変更例＞
以上、本発明の実施形態について説明したが、本発明は、上記実施形態によって何ら制限されるものではなく、また、本発明の実施形態も、上記以外に種々の変更が可能である。
【０１１３】
たとえば、上記実施形態では、紙幣整理処理および紙幣結束処理において、天方向が搬送方向を向く結束対象金種の紙幣が、集積部１１１ａ、１１１ｂに搬送されて結束部１１２で結束され、地方向が搬送方向を向く結束対象金種の紙幣が、入金リジェクト部１０２に搬送された。しかしながら、これとは反対に、地方向が搬送方向を向く結束対象金種の紙幣が、集積部１１１ａ、１１１ｂに搬送されて結束部１１２で結束され、天方向が搬送方向を向く結束対象金種の紙幣が、入金リジェクト部１０２に搬送されてもよい。
【０１１４】
また、上記実施形態では、紙幣整理処理において、結束対象金種外の紙幣が、計数されて一時保留部１０８に保留された後、出金部１０３に払い出された。しかしながら、結束対象金種外の紙幣が、出金部１０３に払い出されることなく一時保留部１０８に保留されたままとされてもよい。この場合、ユーザは、扉１５を開けて、一時保留部１０８から結束対象金種外の紙幣を回収することとなる。また、結束対象金種外の紙幣が、計数された後、一時保留部１０８に保留されることなく出金部１０３に払い出されてもよい。
【０１１５】
さらに、上記実施形態では、紙幣結束処理において、最初に結束されなかった紙幣が一時保留部１０８に保留され、保留された紙幣の枚数が、結束枚数以上である場合に、一時保留部１０８から繰り出されて結束された。しかしながら、保留された紙幣の数が、結束枚数以上でなくとも、集積部１１１ｂに端数の紙幣が存在する場合、一時保留部１０８の紙幣と端数の紙幣とを合わせた枚数が結束枚数以上であれば、紙幣の結束が可能となる。よって、結束枚数から端数の紙幣の枚数を差し引いた差引枚数が、結束可能な所定枚数とされ、保留された紙幣の枚数が当該差引枚数以上である場合に、それら紙幣が一時保留部１０８から繰り出されて結束されてもよい。さらに、紙幣結束処理において、最初に結束されなかった紙幣が一時保留部１０８に保留されるのではなく、入金リジェクト部１０２に払い出されるようにされてもよい。
【０１１６】
さらに、上記実施形態では、紙幣処理機１０に、一つの一時保留部１０８が設けられた。しかしながら、金種別収納部１１０ａ〜１１０ｃごとに、対応する一時保留部が設けられてもよい。この場合、紙幣結束処理において、地方向が搬送方向を向く結束対象金種の紙幣は、その金種に割り当てられた金種別収納部に対応する一時保留部に保留される。
【０１１７】
さらに、上記実施形態では、地方向が搬送方向を向く結束対象金種の紙幣が、計数されることなく、入金リジェクト部１０２に搬送された（図５のＳ２０７参照）。しかしながら、入金リジェクト部１０２に搬送される前に計数処理が行われてもよい。ただし、この場合、計数結果は、結束された紙幣（天方向が搬送方向を向く紙幣）の計数結果に加算されることなく、別に処理される。たとえば、天地の向きを変えて再投入された際の紙幣の計数結果と照合されてもよい。
【０１１８】
さらに、本発明の紙幣処理装置は、上記実施形態に例示した紙幣処理装置１に限定されるものではなく、本発明は、たとえば、新券の出金を行う新券出金装置、金種別一時保留部を備える紙幣処理装置、紙幣に加え有価証券の処理を行う複合処理装置等の紙幣処理装置に適用することもできる。
【０１１９】
この他、本発明の実施形態は、特許請求の範囲に記載の範囲で適宜変更可能である。
【符号の説明】
【０１２０】
１  紙幣処理装置
１０  紙幣処理機
２０  操作端末
１０１  入金部
１０２  入金リジェクト部
１０３  出金部
１０４  束出金部
１０６  識別部
１０８  一時保留部
１１２  結束部
１１０ａ〜１１０ｃ  金種別収納部（収納部）
１１６  機器制御部（整理実行部、結束実行部）
２０１  操作表示部（表示部）
２０２  端末制御部（整理実行部、結束実行部）
【図１】
2017091216.tif 000003
【図２】
2017091216.tif 000004
【図３】
2017091216.tif 000005
【図４】
2017091216.tif 000006
【図５】
2017091216.tif 000007
【図６】
2017091216.tif 000008
【図７】
2017091216.tif 000009
【図８】
2017091216.tif 000010
【図９】
2017091216.tif 000011
【図１０】
2017091216.tif 000012
【図１１】
2017091216.tif 000013
【図１２】
2017091216.tif 000014